(57)【要約】【課題】パークゴルフボール又はゴルフボールを携帯し、ボール表面に付着した汚れや水分を拭き取るのに便利なボールホルダーの提供。【解決手段】内部にボールを収容可能な略円筒袋状のボールホルダー本体と、該ボールホルダー本体の上部に開口したボールが通過可能な口径を有する上部挿入口と、携帯時にはボールが落下しないように閉じられていると共に、取出時にはボールを押出すことにより該ボールを取出し可能に開口する下部取出口とを有するボールホルダー。該ボールホルダーにおける上部挿入口の外周縁部に沿って上部挿入口部材をリング状に縫設した態様、ボールホルダーにおける下部取出口の外周縁部に沿って弾性材料を縫設した態様、などが好ましい。【選択図】  図１
2004254802.tif 000002
【特許請求の範囲】
【請求項１】
内部にボールを収容可能な略円筒袋状のボールホルダー本体と、該ボールホルダー本体の上部に開口したボールが通過可能な口径を有する上部挿入口と、携帯時にはボールが落下しないように閉じられていると共に、取出時にはボールを押出すことにより該ボールを取出し可能に開口する下部取出口とを有することを特徴とするボールホルダー。
【請求項２】
ボールホルダーにおける上部挿入口の外周縁部に沿って上部挿入口部材をリング状に縫設した請求項１に記載のボールホルダー。
【請求項３】
ボールホルダーにおける下部取出口の外周縁部に沿って弾性材料を縫設した請求項１から２のいずれかに記載のボールホルダー。
【請求項４】
ボールを前記ボールホルダーの上部挿入口から下部取出口に通すことにより、ボール表面の汚れ及び水分を拭き取り可能とした請求項１から３のいずれかに記載のボールホルダー。
【請求項５】
ボールホルダー内にボールを収容した状態で、該ボールホルダーを外側から揉むことにより、ボール表面の汚れ及び水分を拭き取り可能とした請求項１から４のいずれかに記載のボールホルダー。
【請求項６】
ボールホルダー本体が、一枚のアクリルボア布地から形成される請求項１から５のいずれかに記載のボールホルダー。
【請求項７】
ボールホルダー本体の内面に吸水性材料を取り付けた請求項１から６のいずれかに記載のボールホルダー。
【請求項８】
ボールホルダーにおける上部挿入口にキーホルダーを取り付けて携帯可能とした請求項１から７のいずれかに記載のボールホルダー。
【請求項９】
ボールが、少なくとも１個のゴルフボール及びパークゴルフボールから選択される請求項１から８のいずれかに記載のボールホルダー。
【発明の詳細な説明】
【０００１】
【発明の属する技術分野】
本発明は、ボールホルダーに関し、特に、パークゴルフボール又はゴルフボールを携帯し、ボール表面に付着した汚れや水分を拭き取るのに便利なボールホルダーに関する。
【０００２】
【従来の技術】
パークゴルフは、もともと公園や河川等の芝生でプレーするゴルフ類似の競技として提案されたものである。その基本ルールは、パークゴルフクラブによる競技ボールのパッティング（打出し）によって該ボールをターゲットホールまで移動させてホールに入れることであるが、通常のゴルフとは異なり、ボールを空中に飛翔させることなく地面上を転がしてプレーする点に競技の特長がある。
【０００３】
このようなパークゴルフは、力の弱い子どもや高齢者も同一のルールで競技できること、複雑なルールを必要としないこと等の理由から、競技人口が漸次増加する傾向にあるが、使用するボールは、通常のゴルフボールよりも外径の大きなものであって、比較的比重の高い硬質プラスチック製のものを用いている。このため、持ち運ぶのが不便であり、ボール表面に水分や泥などが付着して汚れてしまうという問題がある。また、同様の問題があるスポーツとして、ゲートボールやグランドゴルフなどもある。
【０００４】
一方、ゴルフは、その競技の性質上、ゴルフボールを林の中や池の中へ入れてしまい紛失するという、所謂ロストボールとしてしまうことがある。そのため、競技者は常に複数個の予備のゴルフボールを用意して競技を行っており、例えば、特許文献１及び２のようなホルダーが提案されている。しかし、いずれも携帯性が十分なものではなく、汚れや水分を拭き取る機能を備えたものではなく、更なる改良開発が望まれている。
【０００５】
【特許文献１】
実開平６−５６５６号公報
【特許文献２】
実開平６−８３０５５号公報
【０００６】
【発明が解決しようとする課題】
本発明は、このような状況下、従来における諸問題を解決し、以下の目的を達成することを課題とする。即ち、本発明は、パークゴルフボール、ゴルフボール、ゲートボール用ボール及びグランドゴルフボールのいずれかを携帯し、ボール表面に付着した汚れや水分を拭き取るのに便利なボールホルダーを提供することを目的とする。
【０００７】
【課題を解決するための手段】
前記課題を解決するための手段としては、下記の通りである。即ち、
＜１＞  内部にボールを収容可能な略円筒袋状のボールホルダー本体と、該ボールホルダー本体の上部に開口したボールが通過可能な口径を有する上部挿入口と、携帯時にはボールが落下しないように閉じられていると共に、取出時にはボールを押出すことにより該ボールを取出し可能に開口する下部取出口とを有することを特徴とするボールホルダーである。
＜２＞  ボールホルダーにおける上部挿入口の外周縁部に沿って上部挿入口部材をリング状に縫設した前記＜１＞に記載のボールホルダーである。
＜３＞  ボールホルダーにおける下部取出口の外周縁部に沿って弾性材料を縫設した前記＜１＞から＜２＞のいずれかに記載のボールホルダーである。
＜４＞  ボールを前記ボールホルダーの上部挿入口から下部取出口に通すことにより、ボール表面の汚れ及び水分を拭き取り可能とした前記＜１＞から＜３＞のいずれかに記載のボールホルダーである。
＜５＞  ボールホルダー内にボールを収容した状態で、該ボールホルダーを外側から揉むことにより、ボール表面の汚れ及び水分を拭き取り可能とした前記＜１＞から＜４＞のいずれかに記載のボールホルダーである。
＜６＞  ボールホルダー本体が、一枚のアクリルボア布地から形成される前記＜１＞から＜５＞のいずれかに記載のボールホルダーである。
＜７＞  ボールホルダー本体の内面に吸水性材料を取り付けた前記＜１＞から＜６＞のいずれかに記載のボールホルダーである。
＜８＞  ボールホルダーにおける上部挿入口にキーホルダーを取り付けて携帯可能とした前記＜１＞から＜７＞のいずれかに記載のボールホルダーである。
＜９＞  ボールが、少なくとも１個のゴルフボール及びパークゴルフボールから選択される前記＜１＞から＜８＞のいずれかに記載のボールホルダーである。
【０００８】
前記＜１＞に記載のボールホルダーは、内部にボールを収容可能な略円筒袋状のボールホルダー本体と、該ボールホルダー本体の上部に開口したボールが通過可能な口径を有する上部挿入口と、携帯時にはボールが落下しないように閉じられていると共に、取出時にはボールを押出すことにより該ボールを取出し可能に開口する下部取出口とを有する。その結果、携帯性に優れ、ボール表面に付着した汚れや水分を拭き取ることができ、特に、パークゴルフボールや少なくとも１個のゴルフボールの収納に便利である。
【０００９】
前記＜２＞に記載のボールホルダーによれば、上部挿入口の外周縁部に沿って上部挿入口部材をリング状に縫設しているので、ボールホルダー内に収容されているボールが外に出ることを確実に防止できると共に、ボールホルダーの型崩れを防止できる。
【００１０】
前記＜４＞又は＜５＞に記載のボールホルダーは、ボールを前記ボールホルダーの上部挿入口から下部取出口に通すか、又はボールホルダー内にボールを収容した状態で、該ボールホルダーを外側から揉むことにより、ボール表面の汚れ及び水分を効率よく拭き取ることができる。
【００１１】
前記＜６＞に記載のボールホルダーにおいては、ボールホルダー本体がアクリルボア布地で形成されているため、肌触りが良く、また、厚みがあってボールの保護に優れている。また、一枚のアクリルボア布地から効率よく形成できる。
【００１２】
前記＜７＞に記載のボールホルダーにおいては、ボールホルダー本体の内面に吸水性材料を取り付けているので、更にボール表面の汚れ及び水分を効率よく拭き取ることができる。
【００１３】
【発明の実施の形態及び実施例】
以下、本発明について図面を参照して更に詳しく説明する。
図１は、本発明に係るボールホルダーの一実施形態を示す斜視図である。図２は、ボールホルダーの内部にパークゴルフボールを収容した状態を示す斜視図である。
【００１４】
本発明のボールホルダー１０は、内部にボールを収容可能な略円筒袋状のボールホルダー本体１と、該ボールホルダー本体１の上部に開口したボールが通過可能な口径を有する上部挿入口３と、携帯時にはボールが落下しないように閉じられていると共に、取出時にはボールを押出すことにより該ボールを取出し可能に開口する下部取出口２とを有している。
前記ボールホルダー１０は、例えば、図１及び図２に示したように、略円筒袋状に形成されているが形状、色、大きさなどは特に制限はなく、目的に応じて適宜選定することができる。
【００１５】
前記ボールホルダー本体１は、特に制限はなく、目的に応じて適宜選定することができ、アクリルボア、合成繊維を使用した布、皮革、合成皮革、ビニルなどから形成することができるが、特に肌触りが良く、厚みがあってボールの保護に優れている点でアクリルボアが特に好ましい。
【００１６】
前記ボールホルダー本体１の内面には、特に制限されないが、吸水性材料を取り付けることが、ボール表面の水分や汚れを更に効率よく拭き取ることができる点で好ましい。前記吸水性材料としては、例えば、スポンジ、綿、不織布、多孔質材料、高吸水繊維材料、などが挙げられる。
【００１７】
前記ボールホルダーにおける上部挿入口３は、ボールが通過可能な口径を有し、例えば、パークゴルフボールの場合には、ボール直径が６０ｍｍであるため、上部挿入口の直径は、６６〜６８ｍｍに形成されている。
【００１８】
前記ボールホルダーの上部挿入口３は、図３に示したように、一枚の布地４０における上端部の外周縁部に沿って内部に中芯９を有する上部挿入口部材８が取り付けられている。これにより、ボールホルダーの上部挿入口がしっかりと固定され、ボールホルダー内に収容されているボールが外に出ることを確実に防止できると共に、ホルダーの型崩れを防止できる。
【００１９】
前記ボールホルダーにおける下部取出口２は、図示を省略しているが、その外周縁部に沿って弾性材料を縫設することが好ましい。前記弾性材料としては、特に制限はなく、目的に応じて適宜選定することができるが、例えば、天然ゴム、合成ゴム、各種エラストマーなどが挙げられる。これによって、携帯時にはボールが落下しないようにボールの径より開口部（下部取出口２）が小さく閉じていると共に、取出時にはボールを押出すことにより容易に開口してボールを取り出せるものである。
【００２０】
本発明のボールホルダーは、図３〜図６に示したように、一枚の布地４０と中芯９を有する上部挿入口部材８とを用いて製造することができる。
まず、一枚の布地４０（アクリルボア）を折り返して２重構造とし、該布地４０の下端部に図６に示したように弾性材料（例えば、平ゴム）５０を挿入し、縫設する。一方、図４及び図５に示したように、中芯９を中芯カバー１５で被覆して縫い代を形成し、その外側を化粧布２０で覆った上部挿入口部材８を布地４０の上端部を縫い合わせる。得られた図３に示した布地４０を円筒状に丸めて、布地４０の両端部を縫合することにより製造される。前記中芯９としては、例えば、塩化ビニル樹脂、ナイロン、ポリエステル等の樹脂製チューブ又は樹脂製ワイヤー、などが挙げられる。なお、布地の両端部は縫合によらず、ベルクロテープを取り付けて着脱自在とすることもできる。
このように、本発明のボールホルダーは、図３〜図６に示したように、一枚の布地と上部挿入口部材とから効率よく、製造することができる。
【００２１】
本発明のボールホルダーは、ボールを前記ボールホルダーの上部挿入口から下部取出口に通す（通過させる）ことにより、ボール表面に付着した汚れ及び水分を拭き取ることができる。
また、本発明のボールホルダー１０は、図７に示したように、ボールホルダー内にボール５を収容した状態で、該ボールホルダーを外側から揉むことにより、ボール表面に付着した汚れ及び水分を効率よく拭き取ることができる。そして、ボールホルダー自体が汚れたとしても、ボールホルダーを洗濯することによって繰り返し使用することができる。
【００２２】
また、本発明のボールホルダーは、図１及び２に示したように、上部挿入口３にキーホルダー７を取り付けて携帯可能とすることができる。例えば、図８に示したように、キーホルダー７を利用者のベルトなどに引っ掛けて持ち歩くことができる。
【００２３】
本発明のボールホルダーの使用対象となるボールとしては、ゴルフボール、パークゴルフボール、ゲートボール用ボール及びグランドゴルフボールから選択されるいずれかが好ましく、ゴルフボール場合には、１個以上、５個程度まで収容可能である。なお、本発明のボールホルダーには、ボール以外にもプレーに必要な備品を一緒に収納するポケットを設けることもできる。また、ボールホルダーの表面には、ロゴマーク、性能、キャッチフレーズ、会社名、商品名等の識別表示を施してデザイン性を向上させることもできる。
【００２４】
以上、本発明のボールホルダーについて詳細に説明したが、本発明は上記実施の形態に限定されず、本発明の要旨を逸脱しない範囲で種々変更しても差支えない。
【００２５】
【発明の効果】
以上説明したように、本発明によると、パークゴルフボール、ゴルフボール、ゲートボール用ボール及びグランドゴルフボールのいずれかを携帯し、ボール表面に付着した汚れや水分を拭き取るのに便利なボールホルダーを提供することができる。
【図面の簡単な説明】
【図１】図１は、本発明のボールホルダーの一例を示す斜視図である。
【図２】図２は、本発明のボールホルダー内にボールを収容した状態を示す斜視図である。
【図３】図３は、本発明のボールホルダーの一例を示す展開図である。
【図４】図４は、図３における上部挿入部材の拡大図である。
【図５】図５は、図４におけるＡ−Ａ’線での上部挿入部材の概略拡大図である。
【図６】図６は、図３の下部取出口部分の概略拡大図である。
【図７】図７は、ボールホルダーを外側から揉んでいる状態を示す斜視図である。
【図８】図８は、本発明のボールホルダーを携帯した状態を示す斜視図である。
【符号の説明】
１      ボールホルダー本体
２      下部取出口
３      上部挿入口
５      ボール
７      キーホルダー
８      上部挿入口部材
９      中芯
９ａ    中芯を通すための合せ面
１０      ボールホルダー
１５      中芯カバー
２０      化粧布
４０      布地
５０      弾性材料
【図１】
2004254802.tif 000003
【図２】
2004254802.tif 000004
【図３】
2004254802.tif 000005
【図４】
2004254802.tif 000006
【図５】
2004254802.tif 000007
【図６】
2004254802.tif 000008
【図７】
2004254802.tif 000009
【図８】
2004254802.tif 000010